(57)【要約】    【課題】  ユーザに対してユーザの嗜好を考慮した情報を提供することができる情報提供装置及び方法を提供する。    【解決手段】  複数の情報のうちから少なくとも１の情報を選択する情報選択手段を備え、情報選択手段によって選択された少なくとも１の情報を提供する情報提供装置であり、少なくとも１の情報についての評価を要求する評価要求手段と、少なくとも１の情報についての評価を入力する評価入力手段と、評価入力手段によって入力された評価を示すユーザ嗜好データを記憶する記憶手段と、を備え、情報選択手段は、記憶手段に記憶されたユーザ嗜好データに応じて複数の情報のうちから少なくとも１の情報を選択する。【選択図】  図２
2005202556.tif 000002
【特許請求の範囲】
【請求項１】
複数の情報のうちから少なくとも１の情報を選択する情報選択手段を備え、前記情報選択手段によって選択された前記少なくとも１の情報を提供する情報提供装置であって、
前記少なくとも１の情報についての評価を要求する評価要求手段と、
前記少なくとも１の情報についての評価を入力する評価入力手段と、
前記評価入力手段によって入力された評価を示すユーザ嗜好データを記憶する記憶手段と、を備え、
前記情報選択手段は、前記記憶手段に記憶された前記ユーザ嗜好データに応じて前記複数の情報のうちから前記少なくとも１の情報を選択することを特徴とする情報提供装置。
【請求項２】
前記評価要求手段は、前記少なくとも１の情報の提供直後に前記少なくとも１の情報についての評価を要求することを特徴とする請求項１記載の情報提供装置。
【請求項３】
前記評価要求手段による評価要求に対して前記評価入力手段によって入力された評価が拒否と受け入れとのいずれを示すか判別する判別手段を有し、
前記情報選択手段は、前記判別手段による判別結果が拒否を示すときには前記記憶手段に記憶された前記ユーザ嗜好データに応じて前記複数の情報のうちから前記少なくとも１の情報を新たに選択することを特徴とする請求項２記載の情報提供装置。
【請求項４】
前記評価要求手段は、前記少なくとも１の情報の提供から所定時間後に前記少なくとも１の情報についての評価を要求することを特徴とする請求項１記載の情報提供装置。
【請求項５】
設定した時刻に警報を発生するアラーム発生手段を有し、
前記評価要求手段は、前記少なくとも１の情報の提供から前記所定時間後の前記アラーム発生手段の警報発生時刻設定時に前記少なくとも１の情報についての評価を要求することを特徴とする請求項４記載の情報提供装置。
【請求項６】
設定した時刻に警報を発生するアラーム発生手段を有し、
前記評価要求手段は、前記少なくとも１の情報の提供から前記所定時間後であって前記アラーム発生手段によって発生された警報停止直後に前記少なくとも１の情報についての評価を要求することを特徴とする請求項４記載の情報提供装置。
【請求項７】
前記評価要求手段は、前記少なくとも１の情報の提供から前記所定時間後において前記情報提供装置に備えられた特定の娯楽機能が活性化されている期間内に前記少なくとも１の情報についての評価を要求することを特徴とする請求項４記載の情報提供装置。
【請求項８】
前記特定の娯楽機能は雑談機能又はゲーム機能を含むことを特徴とする請求項７記載の情報提供装置。
【請求項９】
前記評価要求手段は、前記少なくとも１の情報の提供から前記所定時間後において前記情報提供装置に備えられた雑談機能が活性化されている時間帯のうちの高頻度の時間帯に前記少なくとも１の情報についての評価を要求することを特徴とする請求項４記載の情報提供装置。
【請求項１０】
前記所定時間は前記少なくとも１の情報の提供から１２時間以上４８時間以内であることを特徴とする請求項４記載の情報提供装置。
【請求項１１】
前記評価要求手段は、前記少なくとも１の情報の提供直後に前記少なくとも１の情報についての評価を要求する第１評価要求手段と、
前記少なくとも１の情報の提供から所定時間後に前記少なくとも１の情報についての評価を要求する第２評価要求手段と、を有し、
前記評価入力手段は、前記第１及び第２評価要求手段による各評価要求に対応して評価を入力することを特徴とする請求項１記載の情報提供装置。
【請求項１２】
設定した時刻に警報を発生するアラーム発生手段を有し、
前記第２評価要求手段は、前記少なくとも１の情報の提供から前記所定時間後の前記アラーム発生手段の警報発生時刻設定時に前記少なくとも１の情報についての評価を要求することを特徴とする請求項１１記載の情報提供装置。
【請求項１３】
設定した時刻に警報を発生するアラーム発生手段を有し、
前記第２評価要求手段は、前記少なくとも１の情報の提供から前記所定時間後であって前記アラーム発生手段によって発生された警報停止直後に前記少なくとも１の情報についての評価を要求することを特徴とする請求項１１記載の情報提供装置。
【請求項１４】
前記第２評価要求手段は、前記少なくとも１の情報の提供から前記所定時間後において前記情報提供装置に備えられた特定の娯楽機能が活性化されている期間内に前記少なくとも１の情報についての評価を要求することを特徴とする請求項１１記載の情報提供装置。
【請求項１５】
前記特定の娯楽機能は雑談機能又はゲーム機能を含むことを特徴とする請求項１４記載の情報提供装置。
【請求項１６】
前記第２評価要求手段は、前記少なくとも１の情報の提供から前記所定時間後において前記情報提供装置に備えられた雑談機能が活性化されている時間帯のうちの高頻度の時間帯に前記少なくとも１の情報についての評価を要求することを特徴とする請求項１１記載の情報提供装置。
【請求項１７】
前記所定時間は前記少なくとも１の情報の提供から１２時間以上４８時間以内であることを特徴とする請求項１１記載の情報提供装置。
【請求項１８】
前記第１評価要求手段による評価要求に対して前記評価入力手段によって入力された評価が拒否と受け入れとのいずれを示すか判別する判別手段を有し、
前記情報選択手段は、前記判別手段による判別結果が拒否を示すときには前記記憶手段に記憶された前記ユーザ嗜好データに応じて前記複数の情報のうちから前記少なくとも１の情報を新たに選択することを特徴とする請求項１１記載の情報提供装置。
【請求項１９】
前記情報選択手段は、前記記憶手段に記憶された前記ユーザ嗜好データに応じて前記複数の情報を複数のグループに分け、前記判別手段による判別結果が拒否を示すときには前回選択の前記少なくとも１の情報を選択したグループとは異なるグループから別の前記少なくとも１の情報を選択することを特徴とする請求項１８記載の情報提供装置。
【請求項２０】
前記複数のグループ分けは前記ユーザ嗜好データに応じた前記複数の情報についての順位に従って行われ、
前記情報選択手段は、前記複数のグループのうちの下位のグループ、中位のグループ及び上位のグループの順にグループ内の前記少なくとも１の情報を選択することを特徴とする請求項１９記載の情報提供装置。
【請求項２１】
前記記憶手段に記憶される前記ユーザ嗜好データは前記複数の情報についての順位を示し、
前記情報選択手段は、前記ユーザ嗜好データに示される順位に応じて前記複数の情報のうちから前記少なくとも１の情報を選択することを特徴とする請求項１１記載の情報提供装置。
【請求項２２】
前記記憶手段は、前記評価入力手段によって入力された評価に応じて前記ユーザ嗜好データに示される前記複数の情報についての順位を変更して記憶することを特徴とする請求項１又は２１記載の情報提供装置。
【請求項２３】
前記第１評価要求手段による評価要求に対して前記評価入力手段によって入力された評価が拒否と受け入れとのいずれを示すか判別する第１判別手段と、
前記第２評価要求手段による評価要求に対して前記評価入力手段によって入力された評価が満足と不満足とのいずれを示すか判別する第２判別手段と、を有し、
前記記憶手段は、前記第１判別手段による判別結果が受け入れを示すときには前記記憶手段に記憶された前記ユーザ嗜好データの前記少なくとも１の情報についての重みを第１所定値だけ増加させ、前記第１判別手段による判別結果が拒否を示すときには前記記憶手段に記憶された前記ユーザ嗜好データの前記少なくとも１の情報についての重みを第２所定値だけ減少させ、前記第２判別手段による判別結果が満足を示すときには前記記憶手段に記憶された前記ユーザ嗜好データの前記少なくとも１の情報についての重みを第３所定値だけ増加させ、前記第１判別手段による判別結果が不満足を示すときには前記記憶手段に記憶された前記ユーザ嗜好データの前記少なくとも１の情報についての重みを第４所定値だけ減少させ、前記複数の情報の重みの値に応じて前記複数の情報についての順位を決定する手段を有することを特徴とする請求項１１又は２１記載の情報提供装置。
【請求項２４】
前記第１所定値及び第４所定値は各々２であり、前記第２所定値は１であり、前記第３所定値は４であることを特徴とする請求項２３記載の情報提供装置。
【請求項２５】
複数の情報のうちから少なくとも１の情報を選択して提供する情報提供方法であって、
前記少なくとも１の情報についての評価を要求する評価要求ステップと、
前記少なくとも１の情報についての評価を入力する評価入力ステップと、
前記評価入力ステップにおいて入力された評価を示すユーザ嗜好データを記憶手段に書き込む記憶ステップと、
前記記憶手段に記憶された前記ユーザ嗜好データに応じて前記複数の情報のうちから前記少なくとも１の情報を選択して提供する情報選択ステップと、を備えたことを特徴とする情報提供方法。
【請求項２６】
複数の情報のうちから少なくとも１の情報を選択して提供する情報提供方法を実行するコンピュータ読取可能なプログラムであって、
前記少なくとも１の情報についての評価を要求する評価要求ステップと、
前記少なくとも１の情報についての評価を入力する評価入力ステップと、
前記評価入力ステップにおいて入力された評価を示すユーザ嗜好データを記憶手段に書き込む記憶ステップと、
前記記憶手段に記憶された前記ユーザ嗜好データに応じて前記複数の情報のうちから前記少なくとも１の情報を選択して提供する情報選択ステップと、を備えたことを特徴とするプログラム。
【発明の詳細な説明】
【技術分野】
【０００１】
本発明は、ユーザに対して情報を提供する情報提供装置及び方法に関する。
【背景技術】
【０００２】
ユーザに対して情報を提供する装置としては、特許文献１に示されたようにユーザに対して例えば、商品の購入に繋がる情報を与える意志決定支援装置や特許文献２に示されたように、ユーザに広告等の情報を配信するシステムが知られている。
【特許文献１】特開２００１−３３７９６８号公報
【特許文献２】特開２００２−２１６０２６号公報
【発明の開示】
【発明が解決しようとする課題】
【０００３】
しかしながら、かかる従来装置においては、ユーザに一方的に情報を提供したり、初期設定された簡単なユーザの個人情報に基づいて情報を提供するので、ユーザの嗜好を考慮した情報を提供することが難しいという問題があった。
【０００４】
本発明が解決しようとする課題には、上記の欠点が一例として挙げられ、ユーザに対してユーザの嗜好を考慮した情報を提供することができる情報提供装置及び方法を提供することが本発明の目的である。
【課題を解決するための手段】
【０００５】
請求項１に係る発明の情報提供装置は、複数の情報のうちから少なくとも１の情報を選択する情報選択手段を備え、前記情報選択手段によって選択された前記少なくとも１の情報を提供する情報提供装置であって、前記少なくとも１の情報についての評価を要求する評価要求手段と、前記少なくとも１の情報についての評価を入力する評価入力手段と、前記評価入力手段によって入力された評価を示すユーザ嗜好データを記憶する記憶手段と、を備え、前記情報選択手段は、前記記憶手段に記憶された前記ユーザ嗜好データに応じて前記複数の情報のうちから前記少なくとも１の情報を選択することを特徴としていいる。
【０００６】
請求項２５に係る発明の情報提供方法は、複数の情報のうちから少なくとも１の情報を選択して提供する情報提供方法であって、前記少なくとも１の情報についての評価を要求する評価要求ステップと、前記少なくとも１の情報についての評価を入力する評価入力ステップと、前記評価入力ステップにおいて入力された評価を示すユーザ嗜好データを記憶手段に書き込む記憶ステップと、前記記憶手段に記憶された前記ユーザ嗜好データに応じて前記複数の情報のうちから前記少なくとも１の情報を選択して提供する情報選択ステップと、を備えたことを特徴としている。
【０００７】
請求項２６に係る発明のプログラムは、複数の情報のうちから少なくとも１の情報を選択して提供する情報提供方法を実行するコンピュータ読取可能なプログラムであって、前記少なくとも１の情報についての評価を要求する評価要求ステップと、前記少なくとも１の情報についての評価を入力する評価入力ステップと、前記評価入力ステップにおいて入力された評価を示すユーザ嗜好データを記憶手段に書き込む記憶ステップと、前記記憶手段に記憶された前記ユーザ嗜好データに応じて前記複数の情報のうちから前記少なくとも１の情報を選択して提供する情報選択ステップと、を備えたことを特徴としている。
【発明を実施するための最良の形態】
【０００８】
以下、本発明の実施例を図面を参照しつつ詳細に説明する。
【０００９】
図１は本発明による情報提供装置を示している。この情報提供装置は、操作部１、表示部２、音声発生部３、コントローラ４、書き換え可能な記憶装置５、ＲＯＭ６及びスピーカ７を備えている。操作部１、表示部２、音声発生部３、記憶装置５及びＲＯＭ６の各々は、コントローラ４に接続されている。
【００１０】
操作部１はキーボード或いはスイッチ類からなり、ユーザが個人情報等の情報を入力したり、動作を指令する部分である。表示部２はコントローラ４の指令に応じてユーザに対して告知内容や指示を表示する。音声発生部３はコントローラ４の指令に応じてユーザに対して告知内容や指示を音声信号として発生する。音声発生部３の出力音声信号はスピーカ７に供給される。
【００１１】
記憶装置５は、例えば、ハードディスクドライブからなる。記憶装置５には、各種情報カテゴリについてのユーザの嗜好がユーザ嗜好データとして記憶される。情報カテゴリが例えば、楽曲の場合には好きな音楽ジャンルや楽曲名、料理の場合には、好みの料理の種類や料理名、テレビ番組の場合には好みの番組の種類や番組名がユーザ嗜好データとして記憶される。ユーザ嗜好データには、好みのものについてのデータに限らず、嫌いなものについてのデータが含まれても良い。ユーザ嗜好データは初期状態では内容がないので、具体的には説明しないが、初期設定でテレビ番組、楽曲、映画、料理、洋服等の情報について好き嫌いが予め記憶されるようにしても良い。ユーザ嗜好データは後述の情報提供動作において更新される。
【００１２】
ＲＯＭ６には、コントローラ４の後述の情報提供動作等の動作プログラムが記憶されている。
【００１３】
コントローラ４はマイクロコンピュータからなり、情報提供装置全体を制御する。ユーザが操作部１に対して予め定められた情報要請操作を行うと、操作部１からその情報要請信号がコントローラ４に供給される。
【００１４】
コントローラ４は、情報要請信号に応答して或いは任意のタイミングで情報提供動作を開始する。
【００１５】
情報提供動作では図２に示すように、先ず、ユーザ嗜好データに応じて情報を選択する（ステップＳ１）。ユーザ嗜好データに応じて選択される情報とは、例えば、テレビ番組、楽曲、映画、料理である。ここでは、情報のカテゴリに関係なくランダムに情報が選択されても良いし、情報のカテゴリをユーザが操作部１を介して選択した後、その選択カテゴリの情報の中から更に選択しても良い。
【００１６】
また、情報の選択方法としては、例えば、楽曲情報を選択する場合には、複数の楽曲についての情報がインターネット上の楽曲情報サーバから得て記憶装置５に提供情報を保存させて置き、ユーザ嗜好データに示された好みの音楽ジャンルに対応した複数の楽曲のうちからランダム或いは所定の順番に１の楽曲を選択する方法がある。テレビ番組、映画、料理等の他のカテゴリの情報についても同様にして記憶装置５に提供情報を形成し、ユーザ嗜好データに応じて情報を選択することができる。
【００１７】
コントローラ４は、選択した情報内容を表示部２に表示させる（ステップＳ２）。表示部２には情報内容の映像が表示される。例えば、楽曲情報ならば、楽曲名、ジャンル、演奏者、作曲者、作詞者等の情報内容が表示される。コントローラ４は音声発生部３を介してスピーカ７から音声を発生させることによって選択情報をユーザに対して告知していも良い。
【００１８】
コントローラ４は、表示或いは音声によってユーザに提供した情報についての評価をユーザに要求する映像を表示部２に表示させる（ステップＳ３）。表示部２には提供した情報を受け入れるか否かを示す映像が表示される。例えば、「受け入れ」と「拒否」とが表示され、ユーザはその表示に対して操作部１の選択操作によって応答することができる。よって、ステップＳ３の実行後、コントローラ４は、評価要求に対するユーザの選択操作が「受け入れ」と「拒否」とのうちのいずれであるかを判別する（ステップＳ４）。「拒否」の場合には、ステップＳ１に進んで上記の動作を繰り返して別の情報をユーザに提供する。一方、「受け入れ」の場合には、記憶装置５内のユーザ嗜好データを更新する（ステップＳ５）。すなわち、ユーザ嗜好データにおいて提供した選択情報に対応する重み（嗜好度）を第１所定値（例えば、２）だけ増加させる。また、ユーザ嗜好データに単に「受け入れ」を示すコードを書き込んでも良い。
【００１９】
なお、評価要求に対するユーザの選択操作が「拒否」の場合においては記憶装置５内のユーザ嗜好データにおいて提供した選択情報に対応する重みを第２所定値（例えば、１）だけ減少させたり、「拒否」を示すコードを書き込むことによって更新しても良い。
【００２０】
このように、ユーザ嗜好データには提供した情報に対応してユーザの評価結果が追加記録されるので、その記録結果が次回の情報提供に反映されることになる。例えば、重みが大きい情報と同類の情報を選択するのである。
【００２１】
図１に示した情報提供装置はユーザとの対話形式の雑談機能を有する。すなわち、コントローラ４は表示部２又は音声発生部３を制御して表示又はスピーカ７を介して音声にてユーザに選択事項を語りかけ、その選択事項に対してユーザが操作部１を介して選択操作することを繰り返すことによって対話するのである。
【００２２】
雑談を開始する際にユーザが操作部１に対して予め定められた雑談開始操作を行うと、操作部１からその雑談要請信号がコントローラ４に供給される。
【００２３】
コントローラ４は、雑談要請信号に応答して雑談動作を開始する。コントローラ４は、図３に示すように、雑談開始時間を記憶装置５に書き込み（ステップＳ１１）、実際の雑談動作のための雑談ルーチンを実行する（ステップＳ１２）。雑談ルーチンが終了すると、雑談終了時間を記憶装置５に書き込む（ステップＳ１３）。
【００２４】
このように雑談が行われる毎に雑談開始時間と雑談終了時間とが記憶装置５に記憶される。コントローラ４は記憶装置５に記憶された時間帯（例えば、１時間単位）毎の雑談実行回数に応じて頻度を算出して記憶装置５に書き込む（ステップＳ１４）。よって、記憶装置５には、雑談時間頻度テーブルが形成される。
【００２５】
コントローラ４は、情報提供動作を行った後において、その情報がユーザにとって満足できる情報であったか否かの評価をユーザから得るための情報評価動作を行う。
【００２６】
情報評価動作では、図４に示すように、先ず、記憶装置５の雑談時間頻度テーブルから雑談最高頻度時間帯を検出し（ステップＳ２１）、情報提供動作を行ってから一定時間以上の時間経過があったか否かを判別する（ステップＳ２２）。一定時間は情報提供動作で提供した情報を情報提供動作後、利用し終わるために必要な時間であり、例えば、１２時間〜４８時間である。情報提供動作を行ってから一定時間以上の時間経過がない場合には、記憶装置５の雑談時間頻度テーブルから雑談最高頻度時間帯を再度検出し（ステップＳ２３）、ステップＳ２２を実行し直す。情報提供動作を行ってから一定時間以上の時間経過がある場合には、現在の時間は雑談最高頻度時間帯に属するか否かを判別する（ステップＳ２４）。雑談最高頻度時間帯であるならば、ユーザに対して提供した情報についての利用後の評価をユーザに要求する映像を表示部２に表示させる（ステップＳ２５）。表示部２にはステップＳ４で「受け入れ」と判別された情報について利用結果が満足であるか否かを問い合わせる映像が表示される。例えば、「映画“○○”を観た結果は満足でしたか？」が表示され、ユーザはその表示に対して操作部１の選択操作によって「はい」又は「いいえ」と応答することができる。よって、ステップＳ２５の実行後、コントローラ４は、情報利用後の評価が満足であるか否かを判別する（ステップＳ２６）。「満足」の場合には、記憶装置５内のユーザ嗜好データ内の対応する情報について重み（嗜好度）を増加させることによりユーザ嗜好データを更新する（ステップＳ２７）。例えば、対応する情報についての重みを第１所定値より大なる第３所定値（例えば、４）だけ増加させる。一方、「不満足」の場合には、記憶装置５内のユーザ嗜好データ内の対応する情報について重みを第４所定値（例えば、２）だけ減少させることによりユーザ嗜好データを更新する（ステップＳ２８）。
【００２７】
このように、提供した情報についての評価をユーザが得て、それがユーザ嗜好データとして保存されるので、その後の情報提供に際してその評価が反映されることになる。
【００２８】
なお、評価は「満足」及び「不満足」に限らず、「少し満足」及び「少し不満」を含むより詳細な評価でも良い。
【００２９】
また、図１に示した情報提供装置はアラーム機能を有しても良い。すなわち、コントローラ４はユーザが操作部１を介して設定した時刻に音声発生部３を制御してアラーム（警報）音をスピーカ７を介して発生するのである。このアラーム設定時に情報評価動作を行うようにすることもできる。例えば、図５に示すように、提供した情報で利用結果について未評価情報があるか否かを判別する（ステップＳ３１）。未評価情報がない場合には、直ちにステップＳ３２に移行してアラーム設定ルーチンを実行する。一方、未評価情報がある場合には、ユーザに対して提供した情報についての利用後の評価をユーザに要求する映像を表示部２に表示させ（ステップＳ２５）、情報利用後の評価が満足であるか否かを判別する（ステップＳ２６）。「満足」の場合には、記憶装置５内のユーザ嗜好データ内の対応する情報について重みを第３所定値だけ増加させることによりユーザ嗜好データを更新する（ステップＳ２７）。「不満足」の場合には、記憶装置５内のユーザ嗜好データ内の対応する情報について重みを第４所定値だけ減少させることによりユーザ嗜好データを更新する（ステップＳ２８）。ステップＳ２７又はＳ２８の実行後、アラーム設定ルーチンを実行する（ステップＳ３２）。
【００３０】
情報評価動作は、雑談動作中に割り込み動作によって図６に示すように行うこともできる。すなわち、ステップＳ３３の雑談ルーチンの実行前にステップＳ２５〜Ｓ２７又はＳ２８が実行される。
【００３１】
このようにアラーム設定時や雑談動作中に未評価の提供情報についての評価を同時にすることにより、ユーザの評価入力を単独で行うことに比べてユーザの煩わしさを低減させることができる。
【００３２】
また、ユーザの情報利用後にその評価を入力する時としては、アラーム音の発生をユーザが停止した直後でも良い。また、装置に備えられた娯楽機能が活性化されている時を利用することができる。娯楽機能としては上記の雑談機能の他にゲーム機能がある。
【００３３】
図７は本発明の他の実施例として情報提供動作を示している。この実施例では、記憶装置５には、ユーザ嗜好データとして料理順位データが記憶される。料理順位データは、図８に示すように、予め用意された複数の料理に対する順位リストを示している。順位リストの順位は複数の料理に対してユーザの選択によって定められた重みの順位である。
【００３４】
コントローラ４は、操作部１から供給される情報要請信号に応答して情報提供動作を開始し、図７に示すように、先ず、変数Ｃを１に設定しかつ変数ｎを０に設定する（ステップＳ４１）。Ｘ＝Ｃ−３ｎを算出してそのＸが１〜３のうちのいずれであるかを判別する（ステップＳ４２）。Ｘ＝１ならば、料理順位データの１１位以上の料理のうちから１の料理を選択する（ステップＳ４３）。Ｘ＝２ならば、料理順位データのｎ＋２位以上で１０位以内の料理のうちから１の料理を選択する（ステップＳ４４）。Ｘ＝３ならば、料理順位データのｎ＋１位の料理を選択する（ステップＳ４５）。
【００３５】
ステップＳ４２〜Ｓ４５のうちのいずれか１のステップの実行での選択料理が今回の情報提供動作において既に選択された料理であるか否かを判別する（ステップＳ４６）。ステップＳ４６は同一の料理を重複して選択することがないように実行される。既に選択された料理であるならば、Ｃ／３の値のうちの整数部分をｎ＝int(Ｃ/３)とし、更に変数Ｃに１を加算し、（ステップＳ４７）、その後、ステップＳ４２に移行する。なお、intは()内の値の小数点以下を切り捨てて整数化する関数である。
【００３６】
ステップＳ４６において既に選択された料理ではないと判別したならば、その選択料理についての情報内容を表示部２に表示させる（ステップＳ４８）。表示部２には例えば、選択料理の名称と共に選択料理の映像が表示される。
【００３７】
コントローラ４は、表示によってユーザに情報提供した料理についての評価をユーザに要求する映像を表示部２に表示させる（ステップＳ４９）。表示部２には情報提供した料理を受け入れるか否かを示す映像が表示される。例えば、「受け入れ」と「拒否」とが表示され、ユーザはその表示に対して操作部１の選択操作によって応答することができる。よって、ステップＳ４９の実行後、コントローラ４は、評価要求に対するユーザの選択操作が「受け入れ」と「拒否」とのうちのいずれであるかを判別する（ステップＳ５０）。「拒否」の場合には、記憶装置５の料理順位データの選択料理についての重みを１だけ減少させることによって料理順位データを更新し（ステップＳ５１）、その後、ステップＳ４７に進んで上記の動作を繰り返す。一方、「受け入れ」の場合には、記憶装置５の料理順位データの選択料理についての重みを２だけ増加させることによって料理順位データを更新する（ステップＳ５２）。ステップＳ５１及びＳ５２の料理順位データの更新では選択料理についての重みが変化することによって順位の変更を伴うことがある。
【００３８】
よって、ユーザに対して先ず、料理順位データの下位グループである１１位以上の料理のうちから１の料理が提案され、その提案料理に「拒否」であるならば、料理順位データの中位グループであるｎ＋２位以上で１０位以内の料理のうちから１の料理が提案される。その提案料理にも「拒否」であるならば、料理順位データの上位グループであるｎ＋１位の料理が提案される。このように料理順位データの下位、中位、上位のグループ順に料理を提案することにより、一部の嗜好順位に位置する料理に偏ることなく幅広く様々な料理を提案することができる。
【００３９】
料理を提案してユーザがその提案料理を食べた後において、情報評価動作が行われ、例えば、１日後においてコントローラ４はユーザに対して情報提供した料理についての食事後の評価をユーザに要求する映像を表示部２に表示させる（ステップＳ６１）。表示部２にはステップＳ１０で「受け入れ」と判別された料理を食事した結果について満足か否かを示す映像が表示される。例えば、「○○料理の食事結果は満足でしたか？」が表示され、ユーザはその表示に対して操作部１の選択操作によって「はい」又は「いいえ」と応答することができる。よって、ステップＳ６１の実行後、コントローラ４は、食事後の評価が満足であるか否か或いは食事をしていないかを判別する（ステップＳ６２）。「満足」の場合には、記憶装置５の料理順位データの選択料理についての重みを４だけ増加させることによって料理順位データを更新し（ステップＳ６３）、一方、「不満足」の場合には、記憶装置５の料理順位データの選択料理についての重みを２だけ減少させることによって料理順位データを更新する（ステップＳ６４）。ステップＳ６３及びＳ６４の料理順位データの更新では選択料理についての重みが変化することによって順位の変更を伴うことがある。食事をしていない場合には、今回の情報評価動作は終了される。しかしながら、その後、再度の情報評価動作を適宜行っても良い。
【００４０】
このように情報提供した料理についての食事後の評価を料理順位データに反映させることにより、ユーザの料理についての嗜好順位がより明確になる。
【００４１】
なお、上記した各実施例においては、ユーザに対して１度に提供する情報の数は１つであるが、同時に複数の情報を提供しても良い。
【００４２】
以上のように、本発明によれば、少なくとも１の情報についての評価を要求する評価要求手段と、少なくとも１の情報についての評価を入力する評価入力手段と、評価入力手段によって入力された評価を示すユーザ嗜好データを記憶する記憶手段と、を備え、情報選択手段は、記憶手段に記憶されたユーザ嗜好データに応じて複数の情報のうちから少なくとも１の情報を選択するので、情報選択の際及び選択情報に基づく活動完了後に入力された評価が反映され、ユーザに対してユーザの嗜好を考慮した情報を提供することができる。
【００４３】
更に、本発明の情報提供装置は目覚まし時計、腕時計、ユーザとの対話型のコミュニケーション装置、ロボット、電子辞書、アラーム機能付きの携帯電話機やＰＤＡに適用することができる。また、本発明の情報提供方法はコンピュータのプログラムで実行させることができる。
【図面の簡単な説明】
【００４４】
【図１】本発明の実施例を示すブロック図である。
【図２】図１の装置中のコントローラによる情報提供動作を示すフローチャートである。
【図３】図１の装置中のコントローラによる雑談動作を示すフローチャートである。
【図４】図１の装置中のコントローラによる情報評価動作を示すフローチャートである。
【図５】図１の装置中のコントローラによるアラーム設定動作を示すフローチャートである。
【図６】図１の装置中のコントローラによる雑談動作を示すフローチャートである。
【図７】図１の装置中のコントローラによる情報提供動作を示すフローチャートである。
【図８】記憶装置に記録された料理順位データの内容例を示す図である。
【図９】図１の装置中のコントローラによる情報評価動作を示すフローチャートである。
【符号の説明】
【００４５】
１  操作部
２  表示部
３  音声発生部
４  コントローラ
５  記憶装置
【図１】
2005202556.tif 000003
【図２】
2005202556.tif 000004
【図３】
2005202556.tif 000005
【図４】
2005202556.tif 000006
【図５】
2005202556.tif 000007
【図６】
2005202556.tif 000008
【図７】
2005202556.tif 000009
【図８】
2005202556.tif 000010
【図９】
2005202556.tif 000011